(57)【要約】【課題】浄化処理中又は浄化処理された水についてリアルタイムで水中の生物粒子を検出してその個数を計数することができる技術を提供するものである。【解決手段】浄化処理中の水、又は、浄化処理が終了した水の少なくとも一方の水を分流する分流手段と、前記分流手段により分流された前記水に向けて所定の波長の光を照射する発光手段と、前記水に含まれる対象物と前記発光手段により照射された光との相互作用により放出される光のうち自家蛍光に基づいて、前記浄水に含まれる前記対象物が生物粒子であるか否かを判定する生物粒子判定手段とを備える。【選択図】図１
2013148391.tif 000002
【特許請求の範囲】
【請求項１】
浄化処理中の水、又は、浄化処理が終了した水の少なくとも一方の水を分流する分流手段と、
前記分流手段により分流された前記水に向けて所定の波長の光を照射する発光手段と、
前記水に含まれる対象物と前記発光手段により照射された光との相互作用により放出される光のうち自家蛍光に基づいて、前記浄水に含まれる前記対象物が生物粒子であるか否かを判定する生物粒子判定手段と
を備える浄水用生物粒子計数器。
【請求項２】
請求項１に記載の浄水用生物粒子計数器において
前記対象物又は前記水と前記発光手段により照射された光との相互作用により放出される光のうち、透過する前記水から放出されるラマン散乱光を低減し、且つ前記対象物から放出される自家蛍光を透過させる自家蛍光選択光学手段をさらに備え、
前記生物粒子判定手段は、前記自家蛍光選択光学手段により前記ラマン散乱光が低減された後の光に基づいて、前記水に含まれる前記対象物が生物粒子であるか否かを判定し、
前記発光手段は、照射後放出される前記自家蛍光のピーク波長と前記ラマン散乱光のピーク波長とを異ならせる前記所定の波長の光を照射することを特徴とする浄水用生物粒子計数器。
【請求項３】
請求項２に記載の浄水用生物粒子計数器において、
前記対象物から放出される散乱光を反射し、前記自家蛍光及び前記ラマン散乱光を含む光を透過する散乱光選択光学手段をさらに備え、
前記生物粒子判定手段は、
前記散乱光選択光学手段及び前記自家蛍光選択光学手段を経た後の光に基づいて、前記水に含まれる前記対象物が生物粒子であるか否かを判定することを特徴とする浄水用生物粒子計数器。
【請求項４】
請求項３に記載の浄水用生物粒子計数器において、
前記自家蛍光選択光学手段を経た後の光を受光し、前記受光した際の光の光量に応じる大きさの第１信号を出力する自家蛍光受光手段と、
前記散乱光選択光学手段を経た後の光を受光し、前記受光した際の光の光量に応じる大きさの第２信号を出力する散乱光受光手段と、
前記散乱光受光手段により出力された前記第２信号の大きさが所定の閾値以上である場合、前記水に含まれる対象物から放出された散乱光を検出したとして検出信号を出力する散乱光検出信号出力手段と、
前記散乱光選択光学手段から前記自家蛍光選択光学手段を経て前記自家蛍光受光手段までの光路に、前記光路以外から入射する光が入り込むことを防ぐ遮光壁とをさらに備え、
前記生物粒子判定手段は、
前記散乱光検出信号出力手段により前記検出信号が出力された場合であって、前記散乱光受光手段により前記水に含まれる前記対象物から放出された前記散乱光が受光された時点と同時期に前記自家蛍光受光手段により光が受光され、前記時点と同時期に前記自家蛍光受光手段により前記受光された光に対応する前記第１信号の大きさが所定の閾値以上である場合、前記散乱光検出信号出力手段により出力された前記検出信号に対応する前記水に含まれる前記対象物を生物粒子であると判定することを特徴とする浄水用生物粒子計数器。
【請求項５】
請求項２から請求項４のいずれかに記載の浄水用生物粒子計数器において、
前記発光手段により照射される光の前記所定の波長は、３７５ｎｍ〜４５０ｎｍであり、
前記自家蛍光選択光学手段により光を透過する基準となるカットオフ波長は、４５０ｎｍ〜６００ｎｍであることを特徴とする浄水用生物粒子計数器。
【請求項６】
浄化処理中の水、又は、浄化処理が終了した水の少なくとも一方の水を分流する分流工程と、
前記分流工程により分流された前記水に向けて所定の波長の光を照射する発光工程と、
前記水に含まれる対象物と前記発光工程により照射された光との相互作用により放出される光のうち自家蛍光に基づいて、前記浄水に含まれる前記対象物が生物粒子であるか否かを判定する生物粒子判定工程と
を含む浄水用生物粒子計数方法。
【請求項７】
請求項６に記載の浄水用私物粒子計数方法において、
前記対象物又は前記水と前記発光工程により照射された光との相互作用により放出される光のうち、透過する前記水から放出されるラマン散乱光を低減し、且つ前記対象物から放出される自家蛍光を透過させる自家蛍光選択光学工程をさらに含み、
前記生物粒子判定工程は、前記自家蛍光選択光学工程により前記ラマン散乱光が低減された後の光に基づいて、前記水に含まれる前記対象物が生物粒子であるか否かを判定し、
前記発光工程は、照射後放出される前記自家蛍光のピーク波長と前記ラマン散乱光のピーク波長とを異ならせる前記所定の波長の光を照射することを特徴とする浄水用生物粒子計数方法。
【請求項８】
請求項７に記載の浄水用生物粒子計数方法において、
前記対象物から放出される散乱光を反射し、前記自家蛍光及び前記ラマン散乱光を含む光を透過する散乱光選択光学工程をさらに含み、
前記生物粒子判定工程は、
前記散乱光選択光学工程及び前記自家蛍光選択光学工程を経た後の光に基づいて、前記水に含まれる前記対象物が生物粒子であるか否かを判定することを特徴とする浄水用生物粒子計数方法。
【請求項９】
請求項８に記載の浄水用生物粒子計数方法において、
前記自家蛍光選択光学工程を経た後の光を受光し、前記受光した際の光の光量に応じる大きさの第１信号を出力する自家蛍光受光工程と、
前記散乱光選択光学工程を経た後の光を受光し、前記受光した際の光の光量に応じる大きさの第２信号を出力する散乱光受光工程と、
前記散乱光受光工程により出力された前記第２信号の大きさが所定の閾値以上である場合、前記水に含まれる対象物から放出された散乱光を検出したとして検出信号を出力する散乱光検出信号出力工程と、
前記散乱光選択光学工程から前記自家蛍光選択光学工程を経て前記自家蛍光受光工程までの光路に、前記光路以外から入射する光が入り込むことを防ぐ遮光工程とをさらに含み、
前記生物粒子判定工程は、
前記散乱光検出信号出力工程により前記検出信号が出力された場合であって、前記散乱光受光工程により前記水に含まれる前記対象物から放出された前記散乱光が受光された時点と同時期に前記自家蛍光受光工程により光が受光され、前記時点と同時期に前記自家蛍光受光工程により前記受光された光に対応する前記第１信号の大きさが所定の閾値以上である場合、前記散乱光検出信号出力工程により出力された前記検出信号に対応する前記水に含まれる前記対象物を生物粒子であると判定することを特徴とする浄水用生物粒子計数方法。
【請求項１０】
請求項７から請求項９のいずれかに記載の浄水用生物粒子計数方法において、
前記発光方法により照射される光の前記所定の波長は、３７５ｎｍ〜４５０ｎｍであり、
前記自家蛍光選択光学方法により光を透過する基準となるカットオフ波長は、４５０ｎｍ〜６００ｎｍであることを特徴とする浄水用生物粒子計数方法。
【請求項１１】
請求項１から請求項５のいずれかに記載の前記浄水用生物粒子計数器を備えた浄水監視システムであって、
複数箇所の浄化池において前記対象物を含む水を複数種類の浄化処理により浄化する浄化処理手段と、
前記浄化処理手段による前記複数種類の浄化処理が終了した水を少なくとも１箇所の配水池に送水する送水手段と、
前記浄水用生物粒子計数器による判定結果を報知する報知手段と
を備え、
前記浄水用生物粒子計数器は、最初に前記浄化処理が行われる前記浄化池から前記配水池の間の少なくとも１箇所に備えられることを特徴とする浄水監視システム。
【請求項１２】
請求項１１に記載の浄化監視システムにおいて
前記浄化処理手段による浄化処理に使用される薬品を供給する薬品供給手段と、
前記薬品供給手段により供給される前記薬品を注入する薬品注入手段と、
前記薬品注入手段により注入される前記薬品の注入量を制御する薬品注入量制御手段と、
前記薬品注入量制御手段による制御の指示、及び、前記浄化処理の送水制御を行う中央監視制御手段と
をさらに備え、
前記中央監視制御手段は、
前記浄水用生物粒子計数器の判定結果に基づいて前記薬品注入量制御手段による制御の指示を行うことを特徴とする浄水監視システム。
【発明の詳細な説明】
【技術分野】
【０００１】
本発明は、浄化処理された水中の生物粒子をリアルタイムで検出する浄水用生物粒子計数器、浄水用生物粒子計数方法、及び、浄水用生物粒子計数器を備えた浄水監視システムに関する。
【背景技術】
【０００２】
従来、浄水場、水族館、湖沼、庭園等に設けられた浄水池から送水される水は、水中に含まれる生物粒子を排除、殺菌して浄化するために、濾過や消毒等を行い浄水されている。また、この浄水された水に関して、生物粒子の殺菌浄化が効率よくなされているかが、濁度計や微粒子カウンタ等により検査されている。
【０００３】
例えば、濁度計による検査は、粒子（生物粒子や非生物粒子）が含まれる水中に光を照射し、光源から照射された光と受光装置が受光した散乱光とを比較したり、粒子による干渉光を検出したりすることで、濁度を算出し、その濁度から水中の生物粒子が殺菌浄化されているであろう確率が算出されている。また、微粒子カウンタでは、特定の病原虫（例えば、クリプトスポリジウム）を検出対象とし、その検出対象と結合しやすい蛍光標識抗体を浄化された水と混合させ、検出対象から放出される蛍光が検出されるか否かで水中の生物粒子が殺菌浄化されているか否かを確認している。
（例えば、特許文献１参照）。
【先行技術文献】
【特許文献】
【０００４】
【特許文献１】特開２００９−６７３号公報
【発明の概要】
【発明が解決しようとする課題】
【０００５】
ここで、特許文献１の先行技術によれば、浄水処理された水に対する検査として、蛍光標識抗体といった薬品を使用しているが、これはクリプトスポリジウムとその蛍光標識抗体との抗原抗体反応を利用しており、抗原抗体反応が終了するまで所定の時間（例えば、３７℃で２０分〜３０分、室温で１時間以上）待つ必要があった。また、浄水処理により検出対象は極僅かしか存在していないため、抗原抗体反応を起しやすくするために蛍光標識抗体が多量に必要であった。他にも、孔径３μのフィルターを用いて浄水処理した水を濾過して、フィルター表面上にクリプトスポリジウムを含む大きい微粒子を捕捉、濃縮した後に蛍光標識抗体を使用する等、予め検査のための下準備が必要であった。ここで、クリプトスポリジウム以外の生物粒子の検査（検出）を行う場合は、その生物粒子と抗原抗体反応を起しやすい別の蛍光標識抗体を使用する必要があった。したがって、生物粒子との抗原抗体反応を利用した検査方法では、検査結果が確認されるまで所定の時間を要し、複数種類の蛍光標識抗体を準備し、浄水を濃縮又は多量の蛍光標識抗体を準備するといった問題があった。
【０００６】
そこで本発明は、生物粒子との抗原抗体反応を利用した検査方法ではなく、リアルタイムで検査でき、浄水中の生物粒子を検出してその個数を計数し、異常があった場合報知することができる技術を提供するものである。
【課題を解決するための手段】
【０００７】
上記の課題を解決するため、本発明は以下の解決手段を採用する。
解決手段１：本発明の浄水用生物粒子計数器は、浄化処理中の水、又は、浄化処理が終了した水の少なくとも一方の水を分流する分流手段と、前記分流手段により分流された前記水に向けて所定の波長の光を照射する発光手段と、前記水に含まれる対象物と前記発光手段により照射された光との相互作用により放出される光のうち自家蛍光に基づいて、前記浄水に含まれる前記対象物が生物粒子であるか否かを判定する生物粒子判定手段とを備える浄水用生物粒子計数器である。
【０００８】
本発明の浄水用生物粒子計数器による生物粒子の計数は、例えば、以下の特徴を有しており、所定の手順に沿って進行する。
（１）生物粒子や非生物粒子（例えば、ゴミ、砂、土等）を含んだ水が浄化され（例えば、薬品消毒処理、濾過処理、沈殿処理等）、その浄化処理中の水又は浄化処理された水中に生物粒子が存在するか否かを検査するために、浄化処理中又は浄化処理された後の水の一部を分流する。そして、その分流した水に、特定の波長の光を照射する。例えば、レーザーダイオードから単一波長のレーザー光を照射する。
【０００９】
（２）上記（１）によりレーザー光を照射すると、レーザー光と対象物との相互作用により光が放出されることとなる。なお、具体的に放出される主な光は、生物粒子との反射等によって放出される散乱光、レーザー光が生物粒子に吸収されそのエネルギーを利用して放出される自家蛍光、非生物粒子との反射等によって放出される散乱光である。
【００１０】
（３）上記（２）による生物粒子からの自家蛍光に基づいて、水に含まれる対象物が生物粒子であるか否かが判定される。そして、その判定において生物粒子であると判定された場合、その個数をカウントすることで、生物粒子数が計数されることとなる。
【００１１】
このように、本解決手段によれば、浄化処理中の水又は浄化処理された水に関して、指標とする自家蛍光物質からの自家蛍光を検出することで、生物粒子が存在するか否かをリアルタイムで判定することができる。また、浄化処理を実行している現場においてリアルタイムで水中内に生物粒子が存在していることが確認できるため、生物粒子の存在が確認された場合、その水の浄化処理が十分に行われていないことをリアルタイムで報知することができ、生物粒子を消毒や殺菌するためのさらなる水の浄化を促すことができる。また、生物粒子を計数することもできるため、消毒や殺菌に必要な薬品の量の調整も示唆することができる。
【００１２】
解決手段２：本発明の浄水用生物粒子計数器は、解決手段２において、前記対象物又は前記水と前記発光手段により照射された光との相互作用により放出される光のうち、透過する前記水から放出されるラマン散乱光を低減し、且つ前記対象物から放出される自家蛍光を透過させる自家蛍光選択光学手段をさらに備え、前記生物粒子判定手段は、前記自家蛍光選択光学手段により前記ラマン散乱光が低減された後の光に基づいて、前記水に含まれる前記対象物が生物粒子であるか否かを判定し、前記発光手段は、照射後放出される前記自家蛍光のピーク波長と前記ラマン散乱光のピーク波長とを異ならせる前記所定の波長の光を照射することを特徴とする浄水用生物粒子計数器である。
【００１３】
本解決手段の透析用生物粒子計数器による生物粒子の計数は、例えば、以下の特徴を有しており、所定の手順に沿って進行する。
（４）上記（１）によりレーザー光を照射すると、レーザー光と対象物との相互作用、又は、レーザー光と水との相互作用により光が放出されることとなる。具体的に放出される主な光は、生物粒子との反射等によって放出される散乱光、レーザー光が生物粒子に吸収されそのエネルギーを利用して放出される自家蛍光、非生物粒子との反射等によって放出される散乱光、水（分子）に入射した光の波長が変換されて放出されるラマン散乱光である。なお、自家蛍光のスペクトルのピーク波長が散乱光及びラマン散乱光のピーク波長と異なる波長になるように、照射するレーザー光の波長を設定する。
【００１４】
（５）上記（４）により放出された光の波長はそれぞれ異なっており、例えば、生物粒子や非生物粒子からの散乱光はレーザー光の波長と同程度であるのに対し、ラマン散乱光や自家蛍光といった光の波長はそのレーザー光の波長よりも長くなる。また、ラマン散乱光と自家蛍光の波長については、それぞれの波長分布領域が重なることもあり、例えば、自家蛍光における波長分布のピーク値（ピーク波長）の方がラマン散乱光の波長分布のピーク値（ピーク波長）よりも長い波長となることもある。照射するレーザー光の波長の設定によって自家蛍光とラマン散乱光のピーク波長が異なることを利用して、特定の波長（カットオフ波長）を基準とする光学分離器を用いて、ラマン散乱光の光量を自家蛍光の光量よりも低減することができる。例えば、特定の波長を基準とするロングパスフィルタやバンドパスフィルタを用いて、ラマン散乱光は低減し、自家蛍光はほとんど透過させる。
【００１５】
（６）上記（５）により透過された光、すなわち、生物粒子からの自家蛍光に基づいて、水に含まれる対象物が生物粒子であるか否かが判定される。そして、その判定において生物粒子であると判定された場合、その個数をカウントすることで、生物粒子数が計数されることとなる。
【００１６】
このように、本解決手段によれば、浄化処理中の水又は浄化処理された水に関して、水によるラマン散乱光と自家蛍光のピーク波長を異ならせるような照射光を用いることで、ラマン散乱光を光学的に抑制し、一方生物粒子からの自家蛍光については透過させることができるため、水によるラマン散乱光の影響を低減させて水中の生物粒子の存在の有無を判定することができる。また、水中に生物粒子の存在の有無はリアルタイムで確認することができるため、生物粒子の存在が確認された場合、その水の浄化処理が十分に行われていないことをリアルタイムで報知することができ、生物粒子を消毒や殺菌するためのさらなる水の浄化処理を促すことができる。また、生物粒子を計数することもできるため、消毒や殺菌に必要な薬品の量の調整も示唆することができる。
【００１７】
解決手段３：本発明の浄水用生物粒子計数器は、解決手段２において、前記対象物から放出される散乱光を反射し、前記自家蛍光及び前記ラマン散乱光を含む光を透過する散乱光選択光学手段をさらに備え、前記生物粒子判定手段は、前記散乱光選択光学手段及び前記自家蛍光選択光学手段を経た後の光に基づいて、前記水に含まれる前記対象物が生物粒子であるか否かを判定することを特徴とする浄水用生物粒子計数器である。
【００１８】
本解決手段の浄水用生物粒子計数器による生物粒子の計数は、例えば、以下の特徴を有しており、所定の手順に沿って進行する。
（７）上記（５）によれば、上記（４）により放出された光の波長については、生物粒子や非生物粒子からの散乱光はレーザー光の波長と同程度であるのに対し、ラマン散乱光や自家蛍光といった光の波長はそのレーザー光の波長よりも長いということであった。したがって、生物粒子や非生物粒子からの散乱光の波長は、ラマン散乱光や自家蛍光よりも短いこととなる。この波長の関係を利用して、特定の波長を基準とする光学分離器を用いて、生物粒子や非生物粒子からの散乱光を選択することができる。例えば、特定の波長（カットオフ波長）を基準とするショートパスフィルタを用いて、生物粒子や非生物粒子からの散乱光だけを透過させることができる。他にも、カットオフ波長を基準として分離するダイクロイックミラーを用いて、この分離する波長より短い波長の生物粒子や非生物粒子からの散乱光は反射させ、この分離する波長より長い波長の光（ラマン散乱光や自家蛍光）は透過させることができる。
【００１９】
（８）上記（５）により分離された光（自家蛍光）と、上記（７）により分離された光（生物粒子や非生物粒子からの散乱光）との相関関係に基づいて、浄化処理中の水又は浄化処理された水に含まれる対象物が生物粒子であるか否かが判定される。そして、その判定において生物粒子であると判定された場合、その個数をカウントすることで、生物粒子数が計数されることとなり、非生物粒子であると判定された場合、その個数もカウントしてもよい。
【００２０】
（９）ここで、上記（５）のロングパスフィルタを上記（７）のダイクロイックミラーの下流の透過側に設置してもよく。上記（５）、（７）による光の分離について、まず、上記（７）による分離を行い、その分離後の光に対して上記（５）による分離を行ってもよい。具体的には、まず、上記（７）による分離によりカットオフ波長よりも短い生物粒子や非生物粒子からの散乱光が反射され、カットオフ波長よりも長いラマン散乱光や自家蛍光を含んだ光が透過され、次に、上記（５）による分離が先ほど透過したラマン散乱光や自家蛍光を含んだ光に対して行われ、カットオフ波長よりも長い自家蛍光を含んだ光が透過される。
【００２１】
（１０）上記（９）により最終的に分離（透過）された光（自家蛍光）と、途中の段階で分離（反射）された光（生物粒子や非生物粒子からの散乱光）との相関関係に基づいて、浄化処理中の水又は浄化処理された水に含まれる対象物が生物粒子であるか否かが判定される。そして、その判定において生物粒子であると判定された場合、その個数をカウントすることで、生物粒子数が計数されることとなり、非生物粒子であると判定された場合、その個数もカウントしてもよい。
【００２２】
このように、本解決手段によれば、ラマン散乱光の透過を抑制し、一方生物粒子からの自家蛍光については透過させているため、対象物からの散乱光との相関関係により、浄化処理中の水又は浄化処理された水に含まれる対象物が生物粒子であるか否かが判定することができる。例えば、散乱光と透過光がある場合は対象物が生物粒子であると判定し、散乱光だけがある場合は対象物が生物粒子ではない非生物粒子であると判定し、透過光がある場合は水によるラマン散乱光であると判定することができる。これにより、生物粒子に対する計数精度をさらに向上させることができる。また、設置環境（条件）に対応させて、ダイクロイックミラー、ロングパスフィルタ、バンドパスフィルタ、ショートパスフィルタ等の光学分離器の使用を選択することができる。
【００２３】
解決手段４：本発明の浄水用生物粒子計数器は、解決手段３において、前記自家蛍光選択光学手段を経た後の光を受光し、前記受光した際の光の光量に応じる大きさの第１信号を出力する自家蛍光受光手段と、前記散乱光選択光学手段を経た後の光を受光し、前記受光した際の光の光量に応じる大きさの第２信号を出力する散乱光受光手段と、前記散乱光受光手段により出力された前記第２信号の大きさが所定の閾値以上である場合、前記水に含まれる対象物から放出された散乱光を検出したとして検出信号を出力する散乱光検出信号出力手段と、前記散乱光選択光学手段から前記自家蛍光選択光学手段を経て前記自家蛍光受光手段までの光路に、前記光路以外から入射する光が入り込むことを防ぐ遮光壁とをさらに備え、前記生物粒子判定手段は、前記散乱光検出信号出力手段により前記検出信号が出力された場合であって、前記散乱光受光手段により前記水に含まれる前記対象物から放出された前記散乱光が受光された時点と同時期に前記自家蛍光受光手段により光が受光され、前記時点と同時期に前記自家蛍光受光手段により前記受光された光に対応する前記第１信号の大きさが所定の閾値以上である場合、前記散乱光検出信号出力手段により出力された前記検出信号に対応する前記水に含まれる前記対象物を生物粒子であると判定することを特徴とする浄水用生物粒子計数器である。
【００２４】
本解決手段の浄水用生物粒子計数器による生物粒子の計数は、例えば、以下の特徴を有しており、所定の手順に沿って進行する。
（１１）上記（５）で透過された光（自家蛍光）を受光し、受光した光量に応じた大きさの第１信号を出力する。例えば、フォトマルチチューブやフォトダイオード等の光検出装置により、受光した光量に応じた第１信号が出力される。
【００２５】
（１２）上記（７）で反射された光（対象物の散乱光）、又は、上記（９）で反射された光（対象物の散乱光）を受光し、受光した光量に応じた大きさの第２信号を出力する。例えば、フォトダイオード等の光検出装置により、受光した光量に応じた第２信号が出力される。
【００２６】
（１３）上記（１２）で出力された第２信号の大きさが所定の閾値以上であるか否かが判定され、判定の結果、閾値以上であると判定された場合を対象物からの散乱光が検出されたとする検出信号（例えば、検出フラグ）が出力される。
【００２７】
（１４）上記（１３）で検出信号が出力された場合であって、その検出信号に対応する時間、すなわち、上記（１２）で受光した時点と同時期に、上記（５）で分離された、又は上記（１０）で透過された光が受光されて第１信号が出力されていた場合、上記（６）における判定で、対象物が生物粒子であると判定する。なお、検出信号が出力されており、第１信号が出力されていない場合、対象物が非生物粒子であると判定してもよい。そして、その判定において生物粒子であると判定された場合、その個数をカウントすることで、生物粒子数が計数されることとなり、非生物粒子であると判定された場合、その個数もカウントしてもよい。また、第２信号の大きさに基づき、生物粒子（や非生物粒子）の大きさについても判定してもよい。
【００２８】
このように、本解決手段によれば、対象物との散乱光について所定の閾値を設けたことで、閾値より大きい信号を対象物の散乱光であると判定することができる。
【００２９】
解決手段５：本発明の浄水用生物粒子計数器は、解決手段２から解決手段４のいずれかにおいて、前記発光手段により照射される光の前記所定の波長は、３７５ｎｍ〜４５０ｎｍであり、前記自家蛍光選択光学手段により光を透過する基準となるカットオフ波長は、４５０ｎｍ〜６００ｎｍであることを特徴とする浄水用生物粒子計数器である。
【００３０】
本解決手段の浄水用生物粒子計数器による生物粒子の計数は、例えば、以下の特徴を有しており、所定の手順に沿って進行する。
（１５）上記（１）による照射するレーザー光の波長を３７５ｎｍ〜４５０ｎｍに設定し、上記（５）又は上記（１０）による水によるラマン散乱光を低減し自家蛍光を透過するカットオフ波長を４５０ｎｍ〜６００ｎｍの間の所定の波長に設定する。
【００３１】
このように、本解決手段によれば、例えば、４０５ｎｍのレーザー光を照射し、水中の生物粒子の細胞内のリボフラビンからの自家蛍光を指標にすることで、リボフラビンやクロロフィルのエネルギー状態を励起させやすくすることができ、さらに、その自家蛍光のピーク波長が約５２０ｎｍであるのに対し水のラマン散乱光のピーク波長が約４６５ｎｍとなるので、自家蛍光選択光学手段（ロングパスフィルタ）の基準とするカットオフ波長を４９０〜６００ｎｍとすれば効率よく分離することができるため、生物粒子に対する計数精度をさらに向上させることができる。
【００３２】
解決手段６：本発明の浄水監視システムは、解決手段１から解決手段５のいずれかに記載の前記浄水用生物粒子計数器を備えた浄水監視システムであって、複数箇所の浄化池において前記対象物を含む水を複数種類の浄化処理により浄化する浄化処理手段と、前記浄化処理手段による前記複数種類の浄化処理が終了した水を少なくとも１箇所の配水池に送水する送水手段と、前記浄水用生物粒子計数器による判定結果を報知する報知手段とを備え、前記浄水用生物粒子計数器は、最初の前記浄化処理が行われる前記浄化池から前記配水池の間の少なくとも１箇所に備えられることを特徴とする浄水監視システムである。
【００３３】
本発明の浄水監視システムによる浄化処理中の水又は浄化処理された水の検査は、例えば、以下の特徴を有しており、所定の手順に沿って進行する。
（１６）例えば、河川等の水源から取水した原水は、複数箇所の浄化池（沈砂池、着水池、混和池、沈殿池、濾過池）において消毒、沈殿、濾過等の複数種類の浄化方法により浄化され、最終的に浄水が製造される。製造された浄水は一旦浄水池に貯留される。また、浄水池からは送水ポンプにより（送水管を通して）複数箇所（各地域）の配水池に送水される。
【００３４】
（１７）上記（１）〜（１３）の特徴を有する生物粒子の計数が可能な浄水用生物粒子計数器は、上記（１６）の浄水池や、浄水池と浄水池（配水池）とを繋ぐ配水管や、配水池に備えられる。
【００３５】
（１８）上記（１８）に備えられた浄水用生物粒子計数器による判定の結果が外部に報知される。
【００３６】
このように、本解決手段によれば、例えば、複数の浄水用生物粒子計数器７７を備えることにより、浄水処理中の水や浄水処理が終了し製造された浄水（例えば、浄水池に貯留された浄水）の検査だけではなく、複数箇所の配水池の水についての検査もリアルタイムで行うことができる。また、これらの検査結果に基づいて、浄水処理の監視を行うことができる。
【００３７】
解決手段７：本発明の浄水監視システムは、解決手段６において、前記浄化処理手段による浄化処理に使用される薬品を供給する薬品供給手段と、前記薬品供給手段により供給される前記薬品を注入する薬品注入手段と、前記薬品注入手段により注入される前記薬品の注入量を制御する薬品注入量制御手段と、前記薬品注入量制御手段による制御の指示、及び、前記浄化処理の送水制御を行う中央監視制御手段とをさらに備え、前記中央監視制御手段は、前記複数の浄水用生物粒子計数器の判定結果に基づいて前記薬品注入量制御手段による制御の指示を行うことを特徴とする浄水監視システムである。
【００３８】
本発明の浄水監視システムによる浄化処理中の水又は浄化処理された水の検査は、例えば、以下の特徴を有しており、所定の手順に沿って進行する。
（１９）上記（１６）の浄化において、消毒による消毒浄化のために使用する薬品（例えば、次亜塩素酸ナトリウム）が予め貯蔵タンクに貯蔵される。貯蔵された薬品は消毒浄化が行われる浄化池（例えば、混和池等）に供給される。薬品が流通する配水管には調整バルブが備えられており、消毒浄化で使用する薬品の量を調整することが可能となっている。
【００３９】
（２０）上記（１９）の消毒浄化を含んだ上記（１６）の各浄化池における浄化は、全て中央監視制御装置により制御されており、上記（１９）の薬品の量の調整も制御されている。
【００４０】
（２１）上記（１７）の浄水用生物粒子計数器は、上記（１９）において薬品による消毒浄化が行われた浄化池（例えば、着水池、混和池等）の水についても検査が行われる。
【００４１】
（２２）上記（２１）の検査の結果、水中に生物粒子が存在すると判定された場合、中央監視制御装置にその判定結果及び生物粒子の計数値が送られる。中央監視制御装置は送られてきた情報に基づき、上記（１９）の消毒浄化に使用する薬品の量の調整のための制御を行うこととなる。また、中央監視制御装置は上記（１６）の配水管に流す水の送水制御も行う。
【００４２】
このように、本解決手段によれば、例えば、複数の浄水用生物粒子計数器を備えることにより、塩素消毒後の水（例えば、着水井、混和地に貯留された水）についての検査もリアルタイムで行うことができる。また、これらの検査結果に基づいて、中央監視制御装置により塩素消毒における塩素の注入量を決定することができる。これにより、気候変動などによる藻類や微生物等の増減を複数の浄水用生物粒子計数器の検査により確認することができ、その検査結果に対応して塩素の注入量を調整することができる。また、塩素を必要以上に大量に注入しすぎるといったことを抑制することができるため、配水管の損傷や、人体に影響する塩素消毒により生成される塩素処理副生成物（トリハロメタン等）を抑制することができる。
【発明の効果】
【００４３】
本発明の浄水用生物粒子計数器、浄水用生物粒子計数方法、及び、浄水監視システムによれば、浄化された水の一部に光を照射し、自家蛍光物質からの自家蛍光の検出を指標として判定することで、その水中に生物粒子が存在するか否かをリアルタイムで確認することができる。
【図面の簡単な説明】
【００４４】
【図１】浄水場における浄水の生物粒子検査に関するシステムについて説明する図である。
【図２】浄水用生物粒子計数器の一実施形態を示す概略構成図である。
【図３】自家蛍光物質の一例であるリボフラビンとＮＡＤ（Ｐ）Ｈの励起吸収スペクトルとその物質からの自家蛍光スペクトルの一例を示す図である。
【図４】波長が４０５ｎｍの光を照射した際の水によるラマン散乱光スペクトルの一例を示す図である。
【図５】光学フィルター入射前の水によるラマン散乱光の時間変化強度分布の一例を示す図である。
【図６】光学フィルター透過後の水によるラマン散乱光の時間変化強度分布の一例を示す図である。
【図７】光学フィルター入射前の全ての光の時間変化強度分布の一例を示す図である。
【図８】光学フィルター透過後の全ての光の時間変化強度分布の一例を示す図である。
【図９】自家蛍光計数処理の手順例を示すフローチャートである。
【図１０】データ収集処理の手順例を示すフローチャートである。
【図１１】データ解析処理の手順例を示すフローチャートである。
【図１２】解析処理の手順例を示すフローチャートである。
【図１３】蛍光用受光装置及び散乱用受光装置からの出力信号の一例を示す図である。
【図１４】解析結果出力処理の手順例を示すフローチャートである。
【図１５】報知処理の手順例を示すフローチャートである。
【図１６】生物粒子の計数結果の報知の一例を示す図である。
【図１７】浄水用生物粒子計数器を用いた浄水検査システムを説明する図である。
【発明を実施するための形態】
【００４５】
以下、本発明の実施形態について図面を参照しながら説明する。
【００４６】
図１は、浄水場における浄水の生物粒子検査に関するシステムについて説明する図である。
図１に示すように、浄水場の浄水システム８００により浄化処理を行われた浄水は、浄水用生物粒子計数器７７により生物粒子が存在するか否かの検査（判定）が行われることになる。また、その生物粒子数の個数の計数が実行される。浄水システム８００及び浄水用生物粒子計数器７７について具体的に説明する。
【００４７】
〔浄水システム〕
浄水システム８００は、浄化処理を行う複数の浄化池（浄化処理手段）、製造した浄水を浄水場内で貯留する浄水池８１８、製造した浄水を送水する送水装置８２０、薬品供給装置８６０、薬品混入制御装置８７０、中央監視制御装置８８０から構成されている。また複数の浄化池（浄化処理手段）は、例えば、沈砂池８０４、着水井８０６、第１混和池８０８、沈殿池８１０、第２混和池８１２、濾過池８１４、第３混和池８１６等により構成されている。浄水システム８００は、これらの構成要素により水源８０２から取水した原水を浄化処理して浄水を製造している。以下、各構成要素について具体的に説明する。
【００４８】
〔中央監視制御装置（中央監視制御手段）〕
中央監視制御装置８８０は、複数のコンピュータから構成され、浄水システム８００の浄化処理を全体的に監視及び制御する装置である。具体的には、中央監視制御装置８８０は、浄水システム８００における各浄化池８０４〜８１６等での浄化処理、各浄化池８０４〜８１６等における水量の調整及び水質の監視、浄化処理が終了した水を次の浄化池へ送水する等、原水を浄化してきれいな浄水を製造するための制御を行っている。なお、製造した浄水は一旦浄水池８１８において貯留され、送水装置８２０により各地域の各配水池へ送水されることとなる。また、中央監視装置８８０は、水源８０２から取水した原水を浄化して浄水を製造するために、第１混和池８０８、第２混和池８１２、第３混和池８１６において水を消毒するための薬品の注入量を調整する薬品混入制御装置８７０の制御も行っている。以下、構成要素における具体的な浄化処理について説明する。
【００４９】
〔沈砂池〕
沈砂池８０４では、水源８０２から取水した原水が溜められる。例えば、水源８０２が河川である場合、取水した原水には大きなゴミ、砂、土等が含まれている。そこで、沈砂池８０４において原水を溜めている間に、大きなゴミが取り除かれ、砂や土が沈砂池８０４の底に沈められ、ある程度の浄化が行われる。大きなゴミ、砂、土が排除された水は、取水ポンプ等により次に着水井８０６に送水される。
【００５０】
〔着水井〕
着水井８０６では、沈砂池８０４から送水された水が溜められる。ここで、複数の水源８０２から原水が取水される場合、各水源に対応した複数の沈砂池８０４に溜められた水が、この着水井８０６により統合されることとなる。そして、この着水井８０６により、くみ上げられた水の水位や水量に基づいて、第１混和池８０８に送水する水の流量が調整される。
【００５１】
〔第１混和池〕
第１混和池８０８では、主に着水井８０６から送水された水と凝集剤とが混合される。なお、消毒に用いられる次亜塩素酸ナトリウム等（以下、塩素とする）等が注入されることもある。凝集剤は、例えば、ポリ塩化アルミニウム等である。凝集剤との混合に撹拌装置を使用することで、細かい砂や土等を凝集剤と混合しやすくしている。また、撹拌速度を調整することで、小さな汚れや濁り等といった種類別に凝集させている（固まらせている）。凝集剤が混合された水は次に沈殿池８１０に送水される。
【００５２】
〔沈殿池〕
沈殿池８１０では、第１混和池８０８において混合された凝集剤により、水中に含まれる小さな汚れや濁り成分が凝集され（固まりになり）沈殿する。この小さな汚れには、ゴミ、泥、有機物、プランクトン等が含まれる。固まりとなった沈殿物が除去された水、又は、沈殿地８１０に溜まっている水のうわ水は次に第２混和池８１２に送水される。
【００５３】
〔第２混和池〕
第２混和池８１２では、沈殿池８１０から送水された水に、薬品供給装置８６０から薬品混入制御装置８７０を経て、例えば、塩素が供給される。したがって、第２混和池８１２に溜められる水に含まれる生物粒子は減少することとなる。塩素消毒された水は次に濾過池８１４に送水される。
【００５４】
〔濾過池〕
濾過池８１４では、第２混和地８１２から送水された水が砂や砂利の中を通され、さらに細かいゴミや濁り成分等が濾過される。濾過された水は次に第３混和池８１６に送水される。
【００５５】
〔第３混和池〕
第３混和池８１６では、濾過池８１４から送水された水に、再度薬品供給装置８６０から薬品混入制御装置８７０を経て供給される塩素が注入され、塩素消毒が行われる。したがって、第３混和池８１６に溜められる水に含まれる生物粒子はさらに減少することとなる。なお、送水される末端（例えば、家庭の蛇口）までの浄水の安全性を保つため、この塩素消毒は重要な浄化処理となり、人体に影響を及ぼす可能性のある生物粒子（例えば、クリプトスポリジウム等）を殺菌するのに十分な量の塩素が注入されることとなる。最終的に塩素消毒された浄水は次に浄水池８１８に送水される。
【００５６】
〔浄水池〕
浄水池８１８では、第３混和池８１６から送水された浄水が溜められる。ここで、これまでの浄化処理により製造された浄水の水質が調査される。本実施形態においては、浄水池８１８に溜められた浄水に関し、その浄水中に生物粒子が存在するか否かについて浄水用生物粒子計数器７７により判定され、同時に生物粒子数について計数される。浄水用生物粒子計数器７７については具体的に別の図面を用いて説明する。
【００５７】
〔送水装置（送水手段）〕
送水装置８２２は、例えば、加圧式の送水ポンプであり、浄水池に溜められる浄化された浄水を各地域の配水地に配水管を通して送水する装置である。
【００５８】
以上のように、浄水システム８００により、水源８０２から取水された原水は、複数の浄化池８０４〜８１６において複数の浄化処理によって浄化され、浄化されて製造された浄水は、浄水池８１８から送水装置８２２により送水される。ここで、浄水システム８００による浄化の中の塩素消毒について具体的に説明する。
【００５９】
〔薬品供給装置（薬品供給手段）〕
薬品供給装置８６０は、例えば、貯蔵タンクであり、塩素消毒の際に使用される次亜塩素酸ナトリウム（塩素）を貯蔵している。図示の例では、１つの貯蔵タンク８６０から第１混和池８０８、第２混和池８１２、第３混和池８１６へ分流し消毒等を行っているが、さらに凝集剤等を供給できる装置としてもよいし、各浄化池８０８、８１２、８１６に１つづつ貯蔵タンク８６０を備えてもよい。貯蔵タンク８６０から供給される塩素等は各浄化池８０８、８１２、８１６に配水管を通して供給されることとなるが、その配水管の途中に備えられる薬品混入制御装置８７０により注入される流量が調整される。
【００６０】
〔薬品混入制御装置（薬品注入量制御手段、薬品注入手段）〕
薬品混入制御装置８７０には、貯蔵タンク８６０から各配水管を通して供給される塩素等の流量を調整する調整バルブが備えられている。
【００６１】
例えば、調整バルブ８７２は貯蔵タンク８６０から第１混和池８０８の間の配水管に接続され、調整バルブ８７４は貯蔵タンク８６０から第２混和池８１２の間の配水管に接続され、調整バルブ８７６は貯蔵タンク８６０から第３混和地の間の配水管に接続される。各調整バルブ８７２、８７４、８７６は、各配水管を流れる塩素等の流量を調整する。なお、各調整バルブ８７２、８７４、８７６による調整は、中央監視制御装置８８０からの指示に基づきそれぞれ行われる。
【００６２】
以上のようにして、各浄化池８０８、８１２、８１６に塩素が注入され塩素消毒が行われることになる。また、塩素消毒が行われた水は、浄水池８１８に送水され、浄水用生物粒子計数器７７により生物粒子が浄水中に存在するか否かの判定が行われる。
【００６３】
〔浄水用生物粒子計数器〕
浄水用生物粒子計数器７７は、対象物に光を照射し、対象物からの散乱光や自家蛍光を検出する光検出システム１と、光検出システム１から出力された信号に基づいて自家蛍光数をカウントする自家蛍光計数システム２、操作部７２、７４、報知ディスプレイ７６とから構成されている。操作部７２、７４は、例えば、複数種類のボタン７２、コントローラー７４から構成されており、浄水管理者等により浄水用生物粒子計数器７７の操作を受け付けることができる。また、報知ディスプレイ７６は、例えば、入力情報、操作情報、計数結果等を表示することができる。浄水用生物粒子計数器７７は、浄水池８１８に備えられ、浄水池８１８に貯留されている浄水の一部を分流し（分流手段、分流工程）、分流した浄水について生物粒子が存在するか否かの判定、及び、存在している場合はその生物粒子数の計数を行う。
【００６４】
〔分流装置（分流手段）〕
分流装置７８は、例えば、浄水池８１８から浄水を分流し浄水用粒子計数器７７に導く配水管、必要に応じて、吸引ポンプ（不図示）、配水管内の流量を調整する流量調整バルブ等（不図示）により構成されている。そして、浄水用生物粒子計数器７７により検査された浄水は排水する配水管から排水される。なお、吸引ポンプ、流量調整バルブを必要とする場合は、それらを浄水用粒子計数器７７の排水する側の配水管に設けるとよい。例えば、浄水用粒子計数器７７に安定して浄水を導けない場合など、容易にその調整が可能となる。
【００６５】
以下、浄水用生物粒子計数器７７の構成要素及び浄水内の生物粒子の有無の判定、生物粒子の計数等について具体的に説明する。
【００６６】
図２は、浄水用生物粒子計数器の一実施形態を示す概略構成図である。
図２に示すように、浄水用生物粒子計数器７７は、対象物に光を照射し、対象物からの散乱光や自家蛍光を検出する光検出システム１と、光検出システム１から出力された信号に基づいて自家蛍光数をカウントする自家蛍光計数システム２とから構成されている。これらのシステムにより、水中の対象物のうち生物粒子（例えば、微生物等）を検出及び計数することができる。なお、本実施形態における検出（計数）可能な生物粒子は、例えば、０．１μｍ〜数１００μｍの大きさの生物粒子であり、具体的には、細菌、酵母、カビ、植物プランクトン等である。また、生物粒子に照射する光は紫外線領域のレーザー光であり、生物粒子の体内（細胞内）に存在する代謝に必要となる物質（リボフラビン、ＮＡＤ（Ｐ）Ｈ（ニコチンアミドアデニンジヌクレオチド（リン酸））、クロロフィル等）から発せられる自家蛍光を指標として検出する。
【００６７】
〔光検出システム〕
光検出システム１は、例えば、発光装置１０、照射光学レンズ系２０、対象流動装置３０、第１集光光学レンズ系４０、遮光装置５０、散乱光選択光学装置６０、遮光壁６５、自家蛍光選択光学装置７０、第２集光光学レンズ系８０、蛍光用受光装置９０、第３集光光学レンズ系１００、散乱用受光装置１１０から構成されている。これらの構成要素により、対象物に光を照射し、対象物からの散乱光や自家蛍光を検出することができる。以下、各構成要素について具体的に説明する。
【００６８】
〔発光装置（発光手段、発光工程）〕
発光装置１０は、例えば、半導体レーザーダイオード（半導体ＬＥＤ素子を含む。以下、レーザーダイオードとする）から構成されている。レーザーダイオード１０によりレーザー光が発振され、生物粒子を含む水に照射される。レーザーダイオード１０が発振するレーザー光の波長は、生物粒子の細胞内に存在する自家蛍光を発することができる物質（以下、自家蛍光物質とする）に対応して決定される。ここで、自家蛍光物質は、照射される光のエネルギーを吸収して励起状態に励起しやすい励起波長を有している。その励起波長はその物質によって異なっており、さらに、励起状態から基底状態に戻る際に放出する自家蛍光の波長も自家蛍光物質によって異なっている。自家蛍光物質の励起波長及び自家蛍光波長について具体例を挙げて説明する。
【００６９】
〔励起波長及び自家蛍光波長〕
図３は、自家蛍光物質の一例であるリボフラビンとＮＡＤ（Ｐ）Ｈの励起吸収スペクトルとその物質からの自家蛍光スペクトルの一例を示す図である。
図３に示すように、各分布は、ＮＡＤ（Ｐ）Ｈの励起波長スペクトル、リボフラビンの励起波長スペクトル、ＮＡＤ（Ｐ）Ｈからの自家蛍光スペクトル、リボフラビンからの自家蛍光スペクトルを示している。例えば、ＮＡＤ（Ｐ）Ｈの励起波長スペクトルは、約３４０ｎｍの波長をピークにした分布をしている。また、リボフラビンの励起波長スペクトルは、約３７５ｎｍの波長をピークにした分布をしており、リボフラビンを励起させやすくするために３７５ｎｍ〜４２０ｎｍの波長のレーザー光を照射することが適していることを表している。なお、クロロフィルの励起波長スペクトルは約４３０ｎｍの波長をピークにした分布をしており、レーザー光の波長は４００ｎｍ〜４５０ｎｍが適している。
【００７０】
したがって、多くの自家蛍光を生物粒子から放出させるために、レーザーダイオード１０から発振されるレーザー光の波長は、生物粒子の細胞内に存在するＮＡＤ（Ｐ）Ｈやリボフラビンの励起波長に対応して決定される。本実施形態では４０５ｎｍの波長を有するレーザー光がレーザーダイオード１０から発振されることと想定する。この４０５ｎｍの波長を有するレーザー光を照射することにより、リボフラビンによる自家蛍光が生物粒子から放出されることになる。
【００７１】
〔照射光学レンズ系〕
照射光学レンズ系２０は、例えば、複数種類の光学レンズから構成されている。例えば、コリメーターレンズ、両凸レンズ、シリンドリカルレンズから構成されており、レーザーダイオード１０から発振されたレーザー光を平行光線に調整し、対象物に照射している。
【００７２】
〔対象流動装置〕
対象流動装置３０（フローセル３０）は、例えば、合成石英やサファイア等で作成された中空の四角柱の筒部３２から構成されており、対象物（生物粒子３５又は非生物粒子３７）を含んだ水３３が上から下に流動する構造をしている。レーザーダイオード１０から発振されたレーザー光３１は、筒部３２の水が流動する中空領域に照射されて検出領域が形成される。
【００７３】
この検出領域において、レーザー光３１がフローセル３０内を流動する水３３（水分子）や対象物（生物粒子３５又は非生物粒子３７）と相互作用を起すこととなる。
【００７４】
生物粒子３５に入射するレーザー光３１の波長が４０５ｎｍであるので、生物粒子３５からの散乱光も４０５ｎｍの波長で放出されることとなる。また、図３に示すように、レーザー光３１が生物粒子３５の細胞内のリボフラビンに吸収された場合、約５２０ｎｍをピークとした分布の波長となる。ここで、生物粒子３５から放出される散乱光又は自家蛍光は、周囲に放出されることとなる。
【００７５】
また、非生物粒子３７に入射したレーザー光３１による散乱光は、生物粒子３５から放出される散乱光と同様である。
【００７６】
上記のように、生物粒子３５や非生物粒子３７とレーザー光３１とが相互作用することにより、生物粒子３５や非生物粒子３７からの散乱光、又は生物粒子３５からの自家蛍光が放出される。そして、それらの光は複数の集光レンズ系や波長選択光学装置を経て受光装置により検出されることになる。なお、散乱光の強度、すなわち、散乱光の光量は生物粒子３５や非生物粒子３７の大きさに依存し、大きいほど光量も多くなる。ここで、生物粒子３５からの自家蛍光は生物粒子３５の細胞内のリボフラビンの量に依存する。また、レーザー光３１の光量（強度）にも依存し、レーザー出力を高めて、フローセル３０に多くのレーザー光３１を照射すれば、生物粒子３５や非生物粒子３７からの散乱光、生物粒子３５からの自家蛍光も増加することとなる。しかし、生物粒子３５や非生物粒子３７からの散乱光、生物粒子３５からの自家蛍光以外の光も増加し、具体的には、レーザー光３１と水３３との相互作用（ラマン散乱）による光（ラマン散乱光）も増加することとなる。次に水によるラマン散乱光について、具体的に説明する。
【００７７】
〔水によるラマン散乱〕
図４は、波長が４０５ｎｍの光を照射した際の水によるラマン散乱光スペクトルの一例を示す図である。図４に示すように、水に波長４０５ｎｍのレーザー光３１を照射すると、水とレーザー光３１との相互作用により、約４６５ｎｍの波長をピークとした波長分布を有するラマン散乱光が放出される。
【００７８】
〔遮光装置〕
遮光装置５０は、例えば、レーザートラップから構成されている。このレーザートラップ５０は、レーザーダイオード１０から発振され、フローセル３０内で相互作用を起さずに通過したレーザー光３１を遮光する。遮光することで、その通過したレーザー光３１が様々な場所で反射などを起して、生物粒子３５による散乱光や自家蛍光の検出のノイズとなることを抑制する。
【００７９】
〔第１集光光学レンズ系〕
第１集光光学レンズ系４０は、例えば、複数の光学レンズから構成されている。この第１集光光学レンズ系４０は、レーザー光３１の進行方向（光軸）に対して約９０度の角度の位置に設置される。この第１集光光学レンズ系４０により、フローセル３０内における生物粒子３５や非生物粒子３７からの散乱光及び生物粒子３５からの自家蛍光が集光される。なお、これら生物粒子３５からの側方散乱光及び自家蛍光をなるべく多く集光するために、レンズ口径は大きい方が好ましく、生物粒子３５からの散乱光や自家蛍光を検出する検出装置が備えられる位置（距離）に対応して決定される。
【００８０】
〔散乱光選択光学装置（散乱光選択光学手段、散乱光選択光学工程）〕
散乱光選択光学装置６０は、例えば、ダイクロイックミラーから構成されている。本実施形態のダイクロイックミラー６０は、４１０ｎｍよりも長い波長の光を透過させ、４１０ｎｍよりも短い波長の光を反射させる。このように光の波長で分離する基準となる特定の波長をカットオフ波長と称する。しがたって、フローセル３０内で４０５ｎｍのレーザー光３１により散乱された生物粒子３５や非生物粒子３７からの散乱光の波長は主に４０５ｎｍであるため、ダイクロイックミラー６０により生物粒子３５や非生物粒子３７からの散乱光を反射することができる。そして、反射された生物粒子３５や非生物粒子３７からの散乱光は、次に第３集光光学レンズ系１００に集光され、散乱用受光装置１１０に結像されることとなる。
【００８１】
一方、フローセル３０内を流動する生物粒子３５から放出される自家蛍光については、図３に示すように、約５２０ｎｍをピークにした波長分布をしているため、ダイクロイックミラー６０に反射されることなくほぼ全てが透過することとなる。また同様に、水によるラマン散乱光も、図４に示すように、約４６５ｎｍをピークにした波長分布をしており、カットオフ波長４１０ｎｍよりも長い波長が大部分を占めているため、一部を除いた大部分がダイクロイックミラー６０を透過することとなる。そして、透過する自家蛍光及び水によるラマン散乱光は、次に自家蛍光選択光学装置へ進むこととなる。
【００８２】
なお、ダイクロイックミラー６０の基準となるカットオフ波長は４１０ｎｍに限定されることなく、レーザー光３１により散乱された生物粒子３５又は非生物粒子３７からの散乱光が反射され、生物粒子３５から自家蛍光が透過される波長であればよい。
【００８３】
〔自家蛍光選択光学装置（自家蛍光選択光学手段、自家蛍光選択光学工程）〕
自家蛍光選択光学装置７０は、例えば、光学フィルターから構成されている。本実施形態においては、４９０ｎｍの波長（カットオフ波長）よりも長い波長の光を透過させるロングパスフィルタ７０が備えられている。
【００８４】
一方、水によるラマン散乱光は、図４に示すように、一部を除いた大部分がカットオフ波長４９０ｎｍよりも短い波長であり、約９０％を低減できる。
【００８５】
〔ロングパスフィルタによる水のラマン散乱光の強度分布変化〕
図５は、ロングパスフィルタ入射前の水によるラマン散乱光の時間変化強度分布の一例を示す図であり、図６は、ロングパスフィルタ透過後の水によるラマン散乱光の時間変化強度分布の一例を示す図である。図５及び図６において、水によるラマン散乱光３３ｓの強度分布がロングパスフィルタにより変化することを表している。
【００８６】
〔ロングパスフィルタ入射前の水によるラマン散乱光の強度分布〕
図５に示すように、横軸を時間、縦軸を光の任意単位で表した強度として、水によるラマン散乱光３３ｓはランダムな増減を繰り返す分布をしている。例えば、水によるラマン散乱光３３ｓの強度が０．５をピークにした分布もあれば、０．３をピークにした分布もあり、水によるラマン散乱光３３ｓが多量に入射することもあれば、少量で入射することもあり、時間に関係なくランダムに入射している。
【００８７】
〔ロングパスフィルタ透過後の水のラマン散乱光分布〕
また、図６に示すように、横軸を時間、縦軸を光の任意単位で表した強度として、ロングパスフィルタ７０を透過した後の水によるラマン散乱光３３ｓは、図５に示した水によるラマン散乱光３３ｓの時間変化分布に対して大きさが約１／１０に変化していることを表している。
【００８８】
次に、水によるラマン散乱光３３ｓだけではなく、ダイクロイックミラーを透過する光Ｌｔ、すなわち、水によるラマン散乱光３３ｓと生物粒子３５から放出される自家蛍光３５ｅとをトータルした光Ｌｔについて説明する。
【００８９】
〔ロングパスフィルタによる光の強度分布変化〕
図７は、光学フィルター入射前の全ての光の時間変化分布の一例を示す図であり、図８は、光学フィルター透過後の全ての光の時間変化分布の一例を示す図である。図７及び図８において、ダイクロイックミラー６０を透過してきた全ての光Ｌｔの強度分布がロングパスフィルタ７０により分離されることが表されている。
【００９０】
〔ロングパスフィルタ入射前の光の強度分布〕
図７に示すように、横軸を時間、縦軸を光の相対的な強度として、ロングパスフィルタ７０に入射する光の分布は、水によるラマン散乱光３３ｓの分布と自家蛍光３５ｅの分布とを合成（合計）した光Ｌｔによる分布からなる。例えば、ある時刻から時間Δｔの間において、相対的な強度が０．５をピークとした分布の光量の水によるラマン散乱光３３ｓと、相対的な強度が０．２をピークとした分布の光量の自家蛍光３５ｅと、が入射すると想定すると、その時間Δｔの間には、それら光量を合成した量の光Ｌｔが入射することとなり、その光Ｌｔによる相対的な強度分布は０．７をピークとした分布となる。
【００９１】
〔ロングパスフィルタ透過後の光の強度分布〕
また、図８に示すように、透過する全ての光Ｌｔの時間変化分布は、入射時の約１０％となった水のラマン散乱光３３ｓの光量の時間変化強度分布と、入射時とはほとんど変化していない自家蛍光３５ｅの光量の時間変化強度分布とを合成した分布であることを表している。例えば、ある時刻から時間Δｔの間において、相対的な強度が０．０５をピークとした分布の光量の水によるラマン散乱光３３ｓと、相対的な強度が０．２をピークとした分布の光量の自家蛍光３５ｅと、が透過すると想定すると、その時間Δｔの間には、それら光量を合成した量の光Ｌｔが透過することとなり、その光Ｌｔによる相対的強度分布は０．２５をピークとした分布となる。
【００９２】
なお、自家蛍光選択光学装置７０で分離する光の波長の基準は、水によるラマン散乱光３３ｓを生物粒子３５から放出される自家蛍光３５ｅよりも小さくする波長が選択される。具体的には、カットオフ波長は４９０ｎｍに限定されることなく、４５０ｎｍ〜５２０ｎｍ、好ましくは４５０ｎｍ〜４９０ｎｍのいずれかの値の波長としてもよい。また、４９０ｎｍよりも長い波長を透過するといったロングパスフィルタに限定されることなく、４９０ｎｍ〜６００ｎｍの波長域の光を透過するといったバンドパスフィルタを備えてもよい。
【００９３】
ここで、自家蛍光選択光学装置７０として、生物粒子３５の細胞内のリボフラビンからの自家蛍光３５ｅを指標とするために、上記のカットオフ波長（例えば、４９０ｎｍ）を基準としたロングパスフィルタを備えたが、生物粒子３５の細胞内のＮＡＤ（Ｐ）Ｈを指標とする場合、４１０ｎｍ〜４７０ｎｍのいずれかの波長（例えば、４５０ｎｍ）をカットオフ波長としそれよりも長い波長の光を透過するといったロングパスフィルタや、カットオフ波長として４５０ｎｍ〜６００ｎｍの波長域の光を透過するといったバンドパスフィルタを備えてもよい。これは、約３５０ｎｍのレーザー光３１を照射した場合、水によるラマン散乱光３３ｓが４００ｎｍをピークとした分布をし、４５０ｎｍを基準としたロングパスフィルタにより、リボフラビンからの自家蛍光３５ｅの検出を指標とした場合と同様に大部分の水のラマン散乱光３３ｓを遮光できるからである。なお、クロロフィルを指標とする場合は、その自家蛍光スペクトルは約６５０ｎｍをピークとして分布しており、これらの波長の光を透過させるために、ロングパスフィルタなどのカットオフ波長は約６００ｎｍである。
【００９４】
〔第２集光光学レンズ系：図２参照〕
第２集光光学レンズ系８０は、例えば、複数の光学レンズから構成されている。
この第２集光光学レンズ系８０は、ロングパスフィルタ７０を透過してきた光の進行方向（光軸）上に設置される。この第２集光光学レンズ系８０により、ロングパスフィルタ７０を透過してきた自家蛍光３５ｅ及び水によるラマン散乱光３３ｓが集光され、蛍光用受光装置９０の入射面に結像されることとなる。
【００９５】
〔蛍光用受光装置（自家蛍光受光手段、自家蛍光受光工程）〕
蛍光用受光装置９０は、例えば、半導体受光素子（フォトダイオードＰｈｏｔｏ  Ｄｉｏｄｅ：ＰＤ）又はフォトダイオードよりも感度のよい光電子増倍管（フォトマルチプライヤーチューブＰｈｏｔｏ  Ｍｕｌｔｉｐｌｉｅｒ  Ｔｕｂｅ：ＰＭＴ）から構成されている。これらフォトダイオードやフォトマルチプライヤーチューブ（以下、フォトマルとする）は受光した光を電流にし、受光した光量に応じた電流を出力する。なお、受光した光の光量によって出力する電流の大きさが変化し、受光した光の光量が多ければ多いほど、電流の大きさが大きくなる。なお、フォトマル９０から出力される電気信号は、次に自家蛍光計数システム２に入力される。
【００９６】
〔遮光壁〕
遮光壁６５は、ダイクロイックミラー６０の透過側からフォトマル９０までの光路を囲う筒状の構造物から構成されている。この遮光壁６５により、ダイクロイックミラー６０を透過してきた光（自家蛍光３５ｅ）以外の光がフォトマル９０に入射することを防ぐことができる。例えば、ラマン散乱光３３ｓや対象物からの散乱光３５ｓ、３７ｓが光検出システム１内で反射して、この光路に回り込まないように遮蔽することができる。図示していないが、ダイクロイックミラー６０の反射側から散乱用受光装置１１０までの光路などにも同様に遮光壁を設けてもよい。
【００９７】
〔第３集光光学レンズ系〕
第３集光光学レンズ系１００は、例えば、複数の光学レンズから構成されている。この第３集光光学レンズ系１００は、ダイクロイックミラー６０によって反射された光の進行方向（光軸）上に設置される。
【００９８】
〔散乱用受光装置（散乱光受光手段、散乱光受光工程）〕
散乱用受光装置１１０は、例えば、フォトダイオード又はフォトマルから構成される。ここで、散乱用受光装置１１０に入射する光は、ダイクロイックミラー６０により反射された４１０ｎｍより短い波長の光であって、具体的には、フローセル３０内を流動する生物粒子３５や非生物粒子３７により散乱された散乱光である。これら生物粒子３５や非生物粒子３７による散乱光は、生物粒子３５から放出される自家蛍光３５ｅよりも光量が多いため、フォトマルではなく安価なフォトダイオードでも十分に検出することができる。本実施形態においては、このフォトダイオード１１０が備えられ、ダイクロイックミラー６０により反射された生物粒子３５や非生物粒子３７による散乱光を受光する。フォトダイオード１１０が受光した光は、その光量に応じた電気信号に変換され、その電気信号がフォトダイオード１１０から出力されることとなる。フォトダイオード１１０からの出力信号は、次に自家蛍光計数システム２に入力される。
【００９９】
〔自家蛍光計数システム（生物粒子判定手段、生物粒子判定工程）：図２参照〕
自家蛍光計数システム２は、例えば、検出信号処理部２００、データ処理部３００、報知部４００から構成されている。また、図９は、自家蛍光計数処理の手順例を示すフローチャートである。
【０１００】
検出信号処理部２００は、例えば、光検出システム１からの出力信号、すなわち、蛍光用受光装置（フォトマル）９０からの出力信号と散乱用受光装置フォトダイオード）１１０からの出力信号をそれぞれ受信し、受信した信号を増幅し、アナログ信号からデジタル信号にＡＤ変換する処理等を行う（図９中のデータ収集処理ステップＳ２００）。
【０１０１】
データ処理部３００は、例えば、検出信号処理部２００でＡＤ変換処理された自家蛍光信号（信号Ａ）及び散乱光信号（信号Ｂ）を受信し保存し（図９中のデータ解析処理ステップＳ３００）、保存した信号Ａ及び信号Ｂから水中に生物粒子３５に由来する信号、すなわち、自家蛍光３５ｅによる信号が含まれているか否かを判定し、その判定結果を出力する（図９中のステップ解析結果出力処理Ｓ４００）等を行う。
【０１０２】
報知部４００は、例えば、データ処理部３００により判定された結果を外部に報知したり、外部に報知信号を出力したりする（図９中の報知処理ステップＳ５００）。
以下、各構成要素及びその処理について具体的に説明する。
【０１０３】
〔検出信号処理部〕
検出信号処理部２００は、例えば、蛍光用出力信号処理装置２１０と、散乱用出力信号処理装置２２０から構成されている。さらに、蛍光用出力信号処理装置２１０は、例えば、第１増幅器２１２、第１アナログ／デジタル変換器２１４から構成され、散乱用出力信号処理装置２２０は、例えば、第２増幅器２２２、第２アナログ／デジタル変換器２２４から構成されている。
【０１０４】
〔データ収集処理〕
図１０は、データ収集処理の手順例を示すフローチャートである。
まず、蛍光用出力信号処理装置２１０は、蛍光用受光装置（フォトマル）９０からの出力信号を受信すると（出力信号受信処理ステップＳ２１０）、第１増幅器２１２がフォトマル９０から出力された出力信号を増幅する（出力信号増幅処理ステップＳ２２０）。そして、第１アナログ／デジタル変換器２１４が第１増幅器２１２により増幅されたアナログ信号をデジタル信号（信号Ａ）に変換する（出力信号Ａ／Ｄ変換処理ステップＳ２３０）。
【０１０５】
同様に、散乱用出力信号処理装置２２０は、散乱用受光装置（フォトダイオード）１１０からの出力信号を受信すると（出力信号受信処理ステップＳ２１０）、第２増幅器２２２がフォトダイオード１１０から出力された出力信号を増幅する（出力信号増幅処理ステップＳ２２０）。そして、第２アナログ／デジタル変換器２２４が第２増幅器２２２により増幅されたアナログ信号をデジタル信号（信号Ｂ）に変換する（出力信号Ａ／Ｄ変換処理ステップＳ２３０）。
【０１０６】
その後、デジタル信号に変換された信号Ａ及び信号Ｂは蛍光用出力信号処理装置２１０及び散乱用出力信号処理装置２２０から出力される（変換信号出力処理ステップＳ２４０）。出力された信号Ａ及び信号Ｂは、次にデータ処理部３００に入力される。
【０１０７】
〔データ処理部〕
データ処理部３００は、例えば、データ収集装置３１０、データ解析装置３２０、解析結果出力装置３３０から構成されている。また、データ収集装置３１０は、例えば、データを記憶するメモリ（ＲＡＭ）３１０から構成されている。
【０１０８】
〔データ解析処理〕
図１１は、データ解析処理の手順例を示すフローチャートである。
まず、データ処理部３００は、蛍光用出力信号処理装置２１０及び散乱用出力信号処理装置２２０から出力される信号Ａ及び信号Ｂを受信する（変換信号受信処理ステップＳ３１０）。受信された信号Ａ及び信号Ｂは、そのままメモリ３１０の記憶領域に記憶される。
【０１０９】
メモリ３１０への信号Ａ及び信号Ｂの記憶が終了すると、つぎに、これらの信号Ａ及び信号Ｂを用いて解析処理（解析処理ステップＳ３４０）が行われる。
【０１１０】
〔データ解析装置（生物粒子判定手段、散乱光検出信号出力手段）〕
データ解析装置３２０は、例えば、メモリ３１０に記憶されたデータ（信号Ａ及び信号Ｂ）を解析する計算回路（例えば、ＣＰＵ３２２）及び計算処理内容（プログラム、閾値データ）等を予め記憶（保存）したメモリ３２４（ＲＯＭ）から構成されている。
【０１１１】
〔解析処理（生物粒子判定工程、散乱光検出信号出力工程）〕
図１２は、解析処理の手順例を示すフローチャートである。
まず、メモリ３１０に記憶された信号Ｂに関して、ＣＰＵ３２２により予めメモリ３２４に記憶された閾値データ（電圧値）と比較される。具体的には、記憶された信号Ｂの電圧値が閾値Ｂ（ＶｔｈＢ）以上か否かが判定される（ステップＳ３４２）。この判定の結果、信号Ｂの電圧値が閾値Ｂ以上であると判定された場合（ステップＳ３４２：Ｙｅｓ）、散乱用受光装置フォトダイオード１１０に生物粒子３５又は非生物粒子３７からの散乱光が入射し検出されたことを表している。ここで、生物粒子３５又は非生物粒子３７からの散乱光が検出されたことを示す散乱光検出フラグをＯＮにする処理が行われてもよい。
【０１１２】
次に、メモリ３１０に記憶された信号Ａに関して、ＣＰＵ３２２により予めメモリ３２４に記憶された閾値データ（電圧値）と比較される。具体的には、記憶された信号Ａの電圧値が閾値Ａ（ＶｔｈＡ）以上か否かが判定される（ステップＳ３４４）。この判定の結果、信号Ａの電圧値が閾値Ａ以上であると判定された場合（ステップＳ３４４：Ｙｅｓ）、蛍光用受光装置フォトマル９０に生物粒子３５から放出された自家蛍光３５ｅが入射し検出されたことを表している。そして、その自家蛍光３５ｅが検出されたことを示す検出フラグをＯＮにする処理が行われる（ステップＳ３４６）。なお、この検出フラグ（ＯＮ）は、次に解析結果出力処理装置３３０にフラグ信号として送信される。
【０１１３】
一方、これらの判定の結果、信号Ｂの電圧値が閾値Ｂ以上ではないと判定された場合（ステップＳ３４２：Ｎｏ）、又は、信号Ａの電圧値が閾値Ａ以上ではないと判定された場合（ステップＳ３４４：Ｎｏ）、検出フラグをＯＦＦにする処理が行われ（ステップＳ３４８）、自家蛍光３５ｅが検出されなかったことを表している。ここで、上記散乱光検出フラグがＯＮであり、かつ、検出フラグがＯＦＦであった場合、生物粒子３５ではない非生物粒子３７が検出されたことを示す非生物検出フラグをＯＮにする処理が行われてもよい。なお、この検出フラグ（ＯＦＦ）は、次に解析結果出力処理装置３３０にフラグ信号として送信される。また、非生物検出フラグも送信してもよい。
【０１１４】
上記解析処理について、各受光装置から出力された出力信号に対応する信号Ａ及び信号Ｂの図を用いて具体的に説明する。
【０１１５】
〔蛍光用受光装置及び散乱用受光装置からの出力信号の一例〕
図１３は、蛍光用受光装置及び散乱用受光装置からの出力信号の一例を示す図である。
図１３中の上段の信号は蛍光用受光装置のフォトマル９０から出力された検出信号に対応する信号Ａの時間変化分布、図１３中の下段の信号は散乱用受光装置のフォトダイオード１１０から出力された検出信号に対応する信号Ｂの時間変化分布を示している。ここで、図１３中の上下段に示されている信号Ａ及び信号Ｂの分布はタイミング調整された分布であると想定する。また、横軸の時間については、時刻ｔ１、ｔ２、ｔ３、…といった順に時間が経過していることを示している。
【０１１６】
例えば、時刻ｔ１では、閾値Ｂ（ＶｔｈＢ（図ではＶｔｈＢ１））よりも大きな信号Ｂの電圧値がデータ処理部３００に入力されたとすると、ＣＰＵ３２２は、信号Ｂの電圧値が閾値Ｂ以上であると判定する（ステップＳ３４２：Ｙｅｓ）。すなわち、時刻ｔ１に、散乱用受光装置フォトダイオード１１０に生物粒子３５又は非生物粒子３７からの散乱光が入射し検出されたことを表している。
【０１１７】
そして、ＣＰＵ３２２により予めメモリ３２４に記憶された閾値Ａ（ＶｔｈＡ）と、信号Ａの電圧値とが比較される（ステップＳ３４４）。時刻ｔ１における信号Ａについては、閾値Ａよりも大きな信号ではないため（ステップＳ３４４：Ｎｏ）、時刻ｔ１における信号Ｂは非生物粒子３７からの散乱光となり、検出フラグはＯＦＦにセットされる（ステップＳ３４８）。
【０１１８】
次に、時刻ｔ２では、ＣＰＵ３２２は信号Ｂの電圧値が閾値Ｂ以上であると判定する（ステップＳ３４２：Ｙｅｓ）。
【０１１９】
そして、ＣＰＵ３２２により閾値Ａ（ＶｔｈＡ）と信号Ａの電圧値とが比較され（ステップＳ３４４）、その結果、ＣＰＵ３２２は信号Ａの電圧値が閾値Ａ以上であると判定する（ステップＳ３４４：Ｙｅｓ）。したがって、時刻ｔ２における信号Ａ及び信号Ｂは生物粒子３５からの自家蛍光３５ｅ及び散乱光であることを表し、検出フラグがＯＮにセットされる（ステップＳ３４６）。
【０１２０】
上記のようにして、リアルタイムで生物粒子３５の存在の有無の結果が得られることとなる。ここで、信号Ａや信号Ｂの大きさについては、蛍光用受光装置フォトマル９０や散乱用受光装置フォトダイオード１１０に入射する光量に応じ、さらに、散乱光の大きさは生物粒子３５又は非生物粒子３７の大きさに応じたものとなる。したがって、生物粒子３５の存在の有無だけではなく、信号Ａや信号Ｂの大きさに基づいて、生物粒子３５又は非生物粒子３７の大きさについても測定することができる。
【０１２１】
ここで、予めメモリ３２４に生物粒子３５の大きさ（０．１μｍ〜０．３μｍ、０．３μｍ〜０．５μｍ、０．５μｍ〜１．０μｍ、…）に対応する閾値Ｂが複数個（ＶｔｈＢ１、ＶｔｈＢ２、ＶｔｈＢ３、ＶｔｈＢ４、…）記憶してあると想定する。例えば、時刻ｔ２の信号Ｂについては、ＶｔｈＢ１よりも大きくＶｔｈＢ２よりも小さいことから、生物粒子３５の大きさは０．１μｍ〜０．３μｍであると測定することができる。なお、生物粒子３５の大きさ（０．１μｍ以上、０．２μｍ以上、…）に対応する閾値Ｂが複数個記憶してあるとしてもよく、これらの閾値Ｂは所望により決めればよい。
【０１２２】
本実施例では信号記憶処理ステップＳ３１０で保存したデータに対して解析処理Ｓ３４０を行っているが、保存せずに閾値Ｂ，Ａと逐次比較することにより生物粒子３５又は非生物粒子３７を検出し、リアルタイムに信号Ｂのピークを検出し、粒径区分を求めてもよい。また、自家蛍光３５ｅの光量に応じた信号Ａの大きさは、生物粒子の種類や活性状態にも対応していることから、信号Ａのピークを検出することでそれらの情報についても求めてもよい。
【０１２３】
上記のように、信号Ａ及び信号Ｂにより、リアルタイムで生物粒子３５の存在の有無を検出することができ、さらに、生物粒子３５の大きさも測定することができる。生物粒子３５の存在の有無の検出により検出フラグがＯＮにセットされると、次に解析結果出力処理ステップＳ４００により生物粒子３５の計数処理が行われる。
【０１２４】
〔解析結果出力装置（生物粒子計数手段）〕
解析結果出力装置３３０は、データ解析装置３２０により解析された生物粒子３５の個数を計数し、その計数値を報知部４００に送信する装置である。
【０１２５】
〔解析結果出力処理（生物粒子計数工程）〕
図１４は、解析結果出力処理の手順例を示すフローチャートである。
まず、解析結果出力装置３３０は、データ解析装置３２０よりフラグ信号（検出フラグ）を受信する。そして、検出フラグがＯＮにセットされているか否かを判定する（ステップＳ４１０）。その結果、検出フラグがＯＮであった場合（ステップＳ４１０：Ｙｅｓ）、生物粒子３５を検出したとして、カウント数を１増加し計数値を算出する（ステップＳ４２０）。そして、計数値（カウント数）を報知部４００に送信する（ステップＳ４３０）。ここで、図示していないが、リセットボタン（図示せず）が押下された場合や、スタートボタン（図示せず）が押下された場合、カウント数をリセットする処理をステップＳ４１０の前に実行してもよい。また、受信したフラグ信号（大きさフラグ）に基づいて、生物粒子３５の大きさ別に生物粒子３５の個数を計数してもよい。
【０１２６】
〔報知部（報知手段）〕
報知部４００は、例えば、表示装置４１０、スピーカー４２０から構成されている。
【０１２７】
〔報知処理〕
図１５は、報知処理の手順例を示すフローチャートである。
まず、報知部４００は、データ処理部３００の解析結果出力装置３３０が送信してきた計数値を受信する（ステップＳ５１０）。次に、表示装置４１０に受信した計数値に更新し検出した生物粒子３５の個数を表示する（ステップＳ５２０）。また、スピーカーから報知音を出力する（ステップＳ５３０）。ここで、表示装置４１０に生物粒子３５の大きさ別に検出した生物粒子３５の個数を表示してもよい。また、リアルタイムでカウントを１づつ増加するといった表示形態でもよく、所定の時間（例えば、５秒間隔）後にその更新した計数値を表示する形態でもよい。
【０１２８】
報知音については計数値の増加頻度に対応して出力態様（報知音の出力回数、報知音の高低）を変化させてもよい。また、生物粒子３５の大きさに応じて報知音の出力態様も変化させてもよい。例えば、単位時間における１．０μｍ以上の生物粒子３５の計数値が１〜９個である場合は「ピ！」といった単音を１回出力し、その計数値が１０〜９９個である場合は「ピ！ピ！」といった単音を２回出力し、その計数値が１００個以上である場合は「ピ！ピ！ピ！」といった単音を３回出力するといった出力態様でもよい。
【０１２９】
図１６は、生物粒子３５の計数結果を報知する表示装置及びスピーカーの一例を示す図である。表示装置として生物粒子３５の大きさ別に計数結果を報知する表示パネル４１０と、生物粒子３５が検出されたことを音で報知するスピーカー４２０が備えられている。例えば、表示パネル４１０は、生物粒子３５の大きさの基準を示す「Ｓｉｚｅ（μｍ）」の表示部と、各大きさに対応する検出した生物粒子３５の個数（計数値）を示す「Ｃｏｕｎｔ」の表示部からなる。生物粒子３５の大きさの基準を示す「Ｓｉｚｅ（μｍ）」の表示部には、例えば、３つの値「０．２」「１．０」「５．０」予め表示されている。それぞれの値に関して、「０．２」については、０．２μｍ以上の生物粒子３５の大きさ、「１．０」については１．０μｍ以上の生物粒子３５の大きさ、「５．０」については５．０μｍ以上の生物粒子３５の大きさにそれぞれ対応する。又は、「０．２」については０．２μｍ〜１．０μｍの生物粒子３５の大きさ、「１．０」については１．０μｍ〜５．０μｍの生物粒子３５の大きさ、「５．０」については５．０μｍ〜の生物粒子３５の大きさにそれぞれ対応するように表示してもよく、表示は所望により決めればよい。
【０１３０】
ここでは０.２μｍ以上の大きさの生物粒子３５が３２１個、１．０μｍ以上の大きさの生物粒子３５が７個、５．０μｍ以上の大きさの生物粒子３５が０個とそれぞれ計数されたことを表している。
【０１３１】
上記のように、報知部４００は、表示装置４１０からリアルタイムで生物粒子３５の計数値を報知し、スピーカー４２０から生物粒子３５を検出した際に報知音を出力することができる。なお、他にも、報知部４００は外部出力端子を備えてもよく、端子を通して別の装置にデータを出力してもよい。
【０１３２】
なお、光検出システム１の自家蛍光選択光学装置については、ロングパスフィルタ７０に限定されることなく、ダイクロイックミラーから構成されてもよい。例えば、カットオフ波長４９０ｎｍよりも長い波長の光を透過させ、カットオフ波長４９０ｎｍよりも短い波長の光を反射させるダイクロイックミラーを備えることで４１０ｎｍよりも短い波長の光（主に生物粒子３５や非生物粒子３７からの散乱光）は散乱用受光装置フォトダイオード１１０に受光され、４９０ｎｍよりも長い波長の光（主に生物粒子３５からの自家蛍光３５ｅ）は蛍光用受光装置フォトマルチチューブ９０に受光されることとなる。
【０１３３】
他にも、光検出システム１の散乱光選択光学装置及び自家蛍光選択光学装置について、散乱光選択光学装置の後方に自家蛍光選択光学装置を設置せず、散乱光と自家蛍光の光路が別系統になるように散乱光選択光学装置と自家蛍光選択光学装置を並列して設置してもよい。その場合、散乱光選択光学装置としてカットオフ波長４１０ｎｍよりも短い波長の光だけを透過するといったショートパスフィルタを使用する。そして、それぞれの光学装置の前後にフローセルからの散乱光や自家蛍光３５ｅを集光する集光レンズ光学系と、散乱用受光装置フォトダイオード１１０及び蛍光用受光装置９０と、をそれぞれの光学装置に対して設置する。これにより、例えば、レーザー光３１の光軸から９０度の位置（水平面）に設置された４１０ｎｍを基準にした散乱光選択光学装置（ショートパスフィルタ）により主に生物粒子３５や非生物粒子３７からの散乱光を散乱用受光装置フォトダイオード１１０で検出することができ、レーザー光３１の光軸から９０度の位置（垂直面）に設置された４９０ｎｍをカットオフ波長にした自家蛍光選択光学装置（ロングパスフィルタ）により主に生物粒子３５からの自家蛍光３５ｅを蛍光用受光装置フォトマル９０で検出することができる。
【０１３４】
また、自家蛍光物質に対応した波長のレーザー光３１を照射し、対象物による散乱光を反射するためのダイクロイックミラーと、水などによるラマン散乱光３３ｓを低減し、生物粒子３５からの自家蛍光３５ｅを透過するロングパスフィルタとを備えることで、生物粒子３５に対する計数精度を向上させることができる。
【０１３５】
このように、本実施形態によれば、浄水用生物粒子計数器７７を用いることで、浄水池８１８に貯留された浄水に関して検出（計測）対象とする生物粒子３５の細胞内のリボフラビンやＮＡＤ（Ｐ）Ｈ又はクロロフィルといった生体内で行っている生命活動の代謝に必要となる自家蛍光物質からの自家蛍光３５ｅの検出を指標として、生物粒子３５が存在するか否かをリアルタイムで判定することができる。したがって、浄水用生物粒子計数器７７による計数の結果、計数された浄水内に規定数以上の生物粒子３５が存在していることが確認された場合、報知手段として浄水用生物粒子計数器７７に備えられたスピーカーから報知音を出力したり、中央監視制御装置８８０に知らせる報知信号を出力したりすることができる。中央監視制御装置８８０は、浄水の報知信号に基づき、リアルタイムで塩素の供給量を決定することができ、その決定内容に基づいて薬品混入制御装置における調整バルブの制御を行うことができる。したがって、浄水内に規定数以上の生物粒子３５が存在していた場合、リアルタイムで塩素の供給量を調整することができる。
【０１３６】
次に、この浄水用生物粒子計数器７７を備えた浄水監視システムについて説明する。
【０１３７】
〔浄水用生物粒子計数器を備えた浄水監視システム〕
図１７は、浄水用生物粒子計数器を用いた浄水監視システムを説明する図である。
図１７に示すように、浄水監視システムは、浄水池８１８に貯留されている浄水についての検査を行うために浄水用生物粒子計数器７７ｚを備えるだけではなく、塩素消毒が行われた後の水についても浄水用生物粒子計数器による検査が行われる。具体的には、第１混和池８０８において塩素消毒が行われた後の水についての検査を行うために、第１混和池８０８と沈殿池８１０の間に浄水用生物粒子計数器７７ｘが備えられる。また、同様に、第２混和池８１２において塩素消毒が行われた後の水についての検査を行うために、第２混和池８１２と第３混和池８１６の間に浄水用生物粒子計数器７７ｙが備えられる。なお、浄水用生物粒子計数器７７ｘや浄水用生物粒子計数器７７ｙについても同様に、上記で説明した分流装置（分流手段）により、第１混和池８０８や第２混和池８１２から送水される水を分流し（分流工程）、分流した水について生物粒子が存在するか否かの判定、及び、存在している場合はその生物粒子数の計数を行う。
【０１３８】
さらに、浄水監視システムでは、浄水システム８００により塩素消毒が行われた後の水だけではなく、製造された浄水が貯留されている浄水池から送水ポンプ８２０により送水され、配水管８２５を通り一旦貯留される配水池においても、浄水中に生物粒子が存在するか否かの判定が行われるとして説明する。
【０１３９】
〔配水池〕
配水池では、浄水システム８００からの浄水を配水する量を調整するために、一時的に浄水が貯留されている。なお、図１７に示すように、配水管８２５を通じ、複数箇所の配水池が備えられている。例えば、配水池Ａ８３０ａ、配水池Ｂ８３０ｂ、配水池Ｃ８３０ｃ等が備えられている。そして、浄水監視システムでは、配水池Ａ８３０ａに浄水用生物粒子計数器７７ａ、配水池Ｂ８３０ｂに浄水用生物粒子計数器７７ｂ、配水池Ｃ８３０ｃに浄水用生物粒子計数器７７ｃをそれぞれ設置し、各浄水用生物粒子計数器７７ａ、７７ｂ、７７ｃの分流装置（分流手段）により各配水池８３０ａ、８３０ｂ、８３０ｃに貯留されている浄水を分流し（分流工程）、分流した浄水について生物粒子が存在するか否かの判定、及び、存在している場合はその生物粒子数の計数を行う。
【０１４０】
〔ネットワーク〕
ネットワーク８４０は、中央監視制御装置８８０と、各浄水用生物粒子計数器７７ｘ、７７ｙ、７７ｚ、７７ａ、７７ｂ、７７ｃを接続している。このネットワーク８４０により、各浄水用生物粒子計数器からの生物粒子の存在の有無の判定結果や、その生物粒子の計数値が中央監視制御装置８８０に送信されることとなる。なお、中央監視制御装置８８０から各浄水用生物粒子計数器に制御信号を送信し、具体的には、それが備えられている場所の水の検査を開始する制御信号や終了を指示する制御信号を送信してもよく、各浄水用生物粒子計数器を遠隔操作し、リアルタイムで水の検査を行ってもよい。このようにネットワーク８４０を通じ、各浄水用生物粒子計数器が備えられた場所の水の監視をリアルタイムで行うことで、塩素消毒のための塩素の量をリアルタイムで調整することができる。なお、この塩素消毒のための塩素量の調整を制御する制御信号も、ネットワーク８４０を通じ、中央監視制御装置８８０から薬品混入制御装置８７０に送信され、各調整バルブ８７２、８７４、８７６の調整が行われることになる。ここで、浄水池８１８以降の浄水に問題があった場合は、浄水池８１８から送水ポンプ８２０の間に備えられた予備の塩素消毒用の配水管に塩素を注入するために、ネットワーク８４０を通じ、調整バルブ８７８を制御してもよい。
【０１４１】
以上のように、浄水監視システムは複数の浄水用生物粒子計数器７７を備えることにより、浄水システム８００により製造された浄水（浄水池８１８）の検査だけではなく、塩素消毒後（第１混和地８０８、第２混和地８１２）の水についての検査、そして、複数箇所の配水池の水についての検査もリアルタイムで行うことができる。また、これらの検査結果に基づいて、中央監視制御装置８８０により塩素消毒における塩素の注入量が決定され、決定された注入量に基づいて薬品混入制御装置８７０の調整バルブを制御することができる。したがって、気候変動などによる藻類や微生物等の増減を、複数の浄水用生物粒子計数器７７の検査により確認することができ、その検査結果に対応して塩素の注入量を調整することができる。また、塩素を必要以上に大量に注入しすぎるといったことを抑制することができるため、配水管の損傷や、人体に影響する塩素消毒により生成される塩素処理副生成物（トリハロメタン等）を抑制することができる。
【符号の説明】
【０１４２】
１    光検出システム
２    自家蛍光計数システム
１０    発光装置
２０    照射光学レンズ系
３０    対象流動装置
４０    第１集光光学レンズ系
５０    遮光装置
６０    散乱光選択光学装置
６５    遮光壁
７０    自家蛍光選択光学装置
７７    浄水用生物粒子計数器
８０    第２集光光学レンズ系
９０    蛍光用受光装置
１００    第３集光光学レンズ系
１１０    散乱用受光装置
２００    検出信号処理部
３００    データ処理部
４００    報知部
８００    浄水システム
８６０    薬品供給装置
８７０    薬品混入制御装置
８８０    中央監視制御装置
【図１】
2013148391.tif 000003
【図２】
2013148391.tif 000004
【図３】
2013148391.tif 000005
【図４】
2013148391.tif 000006
【図５】
2013148391.tif 000007
【図６】
2013148391.tif 000008
【図７】
2013148391.tif 000009
【図８】
2013148391.tif 000010
【図９】
2013148391.tif 000011
【図１０】
2013148391.tif 000012
【図１１】
2013148391.tif 000013
【図１２】
2013148391.tif 000014
【図１３】
2013148391.tif 000015
【図１４】
2013148391.tif 000016
【図１５】
2013148391.tif 000017
【図１６】
2013148391.tif 000018
【図１７】
2013148391.tif 000019